(57)【要約】【課題】無線機器を利用する場合における利便性を向上可能な電子機器システムを提供する。【解決手段】電子機器システム２は、制御部２１を有する本体部１１と、本体部１１に着脱可能に設けられる第１の無線部１９と、第１の無線部１９と無線通信を行う第２の無線部２０と、第２の無線部２０が受信した情報に従って動作する動作部１６、１７と、を備える。制御部２１は、本体部１１に第１の無線部１９が取り付けられた場合に、第１の無線部１９を自動検出するとともに、動作部１６、１７を動作可能とする設定を自動的に行う。【選択図】図５
2013138297.tif 000002
【特許請求の範囲】
【請求項１】
制御部を有する本体部と、
前記本体部に着脱可能に設けられる第１の無線部と、
前記第１の無線部と無線通信を行う第２の無線部と、
前記第２の無線部が受信した情報に従って動作する動作部と、
を備え、
前記制御部は、前記本体部に前記第１の無線部が取り付けられた場合に、前記第１の無線部を自動検出するとともに、前記動作部を動作可能とする設定を自動的に行う、電子機器システム。
【請求項２】
前記設定には、前記第１の無線部と前記第２の無線部との間の通信に関わる設定と、前記動作部の動作条件に関わる設定と、が含まれる、請求項１に記載の電子機器システム。
【請求項３】
前記動作部は音声出力部である、請求項１又は２に記載の電子機器システム。
【請求項４】
前記本体部には、前記音声出力部とは別の音声出力部が少なくとも一つ有線接続されている、請求項３に記載の電子機器システム。
【請求項５】
前記制御部は、前記第１の無線部が自動検出された場合に、前記本体部に有線接続される音声出力部に関わる設定条件の変更を行う、請求項４に記載の電子機器システム。
【請求項６】
筐体と、
前記筐体に内蔵される制御部と、
前記筐体の外面側に設けられて、無線モジュールを取り付けるための取付部と、
を備え、
前記制御部は、前記取付部に前記無線モジュールが取り付けられた場合に、前記無線モジュールを自動検出するとともに、前記無線モジュールから情報を送信する際に必要となる設定を自動的に行う、電子機器。
【請求項７】
前記設定には、前記無線モジュールから送信される情報に従って動作する動作部の動作条件に関わる設定が含まれる、請求項６に記載の電子機器。
【請求項８】
前記動作部は音声出力部であり、
前記設定には、音声出力に関わる条件設定が含まれる、請求項７に記載の電子機器。
【発明の詳細な説明】
【技術分野】
【０００１】
本発明は、電子機器システム及び電子機器に関する。
【背景技術】
【０００２】
従来、例えばケーブル接続の煩雑さを解消する等の目的で、電子機器、或いは、電子機器システムに、無線機器が利用されている（例えば特許文献１〜３参照）。無線機器が利用される電子機器システムの一例として、オーディオシステム（音響機器システム）が挙げられる。例えばホームシアターを構築する場合に、ワイヤレススピーカーと、無線機器とを利用したオーディオシステムが使用されることがある。
【先行技術文献】
【特許文献】
【０００３】
【特許文献１】特開２００２−３５４０６３号公報
【特許文献２】特開２００５−１２４１０６号公報
【特許文献３】特許第４４１１５５１号公報
【発明の概要】
【発明が解決しようとする課題】
【０００４】
ところで、例えばホームシアターを構築する場合に、ユーザによってはオーディオシステムにおける無線機能は不要であると考える者もいる。このようなこと等を念頭においた場合、例えばオーディオシステムにおける無線機器の利用は、オプションとして設定されると便利に思われる。
【０００５】
しかしながら、ユーザの利便性を考えて、無線機器が本体部（システムの制御を行う制御部が内蔵される電子機器）に着脱される構成が採用される場合、無線機器が装着された際に必要となる設定操作の煩わしさ等が生じることが懸念される。
【０００６】
そこで、本発明の目的は、無線機器を利用する場合における利便性を向上可能な電子機器システム及び電子機器を提供することである。
【課題を解決するための手段】
【０００７】
上記目的を達成するために本発明の電子機器システムは、制御部を有する本体部と、前記本体部に着脱可能に設けられる第１の無線部と、前記第１の無線部と無線通信を行う第２の無線部と、前記第２の無線部が受信した情報に従って動作する動作部と、を備える電子機器システムであって、前記制御部は、前記本体部に前記第１の無線部が取り付けられた場合に、前記第１の無線部を自動検出するとともに、前記動作部を動作可能とする設定を自動的に行う構成（第１の構成）となっている。
【０００８】
本構成によれば、ユーザは、無線通信を利用して動作させる動作部をシステムに導入する際に、煩わしい設定作業を回避可能である。すなわち、本構成によれば、利便性に優れる電子機器システムの提供が可能である。
【０００９】
上記第１の構成の電子機器システムにおいて、前記設定には、前記第１の無線部と前記第２の無線部との間の通信に関わる設定と、前記動作部の動作条件に関わる設定と、が含まれる構成（第２の構成）であるのが好ましい。
【００１０】
上記第１又は第２の構成の電子機器システムにおいて、前記動作部は音声出力部である構成（第３の構成）であっても構わない。本構成によれば、利便性に優れるオーディオシステムやホームシアターシステム等を提供可能である。
【００１１】
上記第３の構成の電子機器システムにおいて、前記本体部には、前記音声出力部とは別の音声出力部が少なくとも一つ有線接続されている構成（第４の構成）であってもよい。本構成によれば、マルチチャンネル対応のオーディオシステムを提供し易い。
【００１２】
上記第４の構成の電子機器システムにおいて、前記制御部は、前記第１の無線部が自動検出された場合に、前記本体部に有線接続される音声出力部に関わる設定条件の変更を行う構成（第５の構成）であってもよい。本構成によれば、更なる利便性の向上が期待できる。
【００１３】
上記目的を達成するために本発明の電子機器は、筐体と、前記筐体に内蔵される制御部と、前記筐体の外面側に設けられて、無線モジュールを取り付けるための取付部と、を備える電子機器であって、前記制御部は、前記取付部に前記無線モジュールが取り付けられた場合に、前記無線モジュールを自動検出するとともに、前記無線モジュールから情報を送信する際に必要となる設定を自動的に行う構成（第６の構成）になっている。
【００１４】
本構成によれば、ユーザは、電子機器に無線機能を導入するにあたって、煩わしい設定作業を回避可能である。すなわち、本構成によれば、利便性に優れる電子機器の提供が可能である。
【００１５】
上記第６の構成の電子機器において、前記設定には、前記無線モジュールから送信される情報に従って動作する動作部の動作条件に関わる設定が含まれる構成（第７の構成）であるのが好ましい。
【００１６】
上記第７の構成の電子機器において、前記動作部は音声出力部であり、前記設定には、音声出力に関わる条件設定が含まれる構成（第８の構成）であってもよい。
【発明の効果】
【００１７】
本発明によれば、無線機器を利用する場合における利便性を向上可能な電子機器システム及び電子機器を提供可能である。
【図面の簡単な説明】
【００１８】
【図１】本実施形態に係るホームシアターセットの構成を示す概略図
【図２】本実施形態に係るホームシアターセットが備えるセット本体を裏面から見た場合の概略平面図
【図３】本実施形態に係るホームシアターセットが備える第１の無線モジュールの構成を示す概略斜視図
【図４】本実施形態に係るホームシアターセットが備えるセット本体に、第１の無線モジュールが取り付けられた状態を示す概略側面図
【図５】本実施形態のホームシアターセットが備えるオーディオシステム（音響機器システム）の構成を示す概略図
【図６】本実施形態のオーディオシステムにおいて実行される、第１の無線モジュールの自動検出処理、及び、それに続く自動設定処理の手順を示すフローチャート
【図７】本実施形態に係るホームシアターセットの変形例を示す概略図
【発明を実施するための形態】
【００１９】
以下、本発明の電子機器システム及び電子機器の実施形態について、図面を参照しながら詳細に説明する。以下では、本発明の電子機器システムがホームシアターセット（映像音響装置）に適用される場合を例に説明する。本発明の電子機器システムは、ホームシアターセットに含まれるオーディオシステム（音響機器システム）に具現化されている。
【００２０】
図１は、本実施形態に係るホームシアターセット１の構成を示す概略図である。図１に示すように、ホームシアターセット１は、セット本体１１（映像音声再生装置；本発明の本体部及び電子機器の一例）を備える。セット本体１１は、光ディスクに記録された情報を再生可能に設けられる。光ディスクとしては、例えばブルーレイディスク（ＢＤ）やデジタル多用途ディスク（ＤＶＤ）等が挙げられる。
【００２１】
セット本体１１で光ディスクから取り出された映像信号は、例えば液晶ディスプレイ等のモニター（表示部）１２に出力される。また、セット本体１１で光ディスクから取り出された音声信号は、音声出力部１３〜１８に出力される。なお、映像及び音声の信号源は、光ディスクに限定される趣旨ではない。例えばセット本体１１がテレビチューナを備える場合には、このテレビチューナが映像及び音声の信号源になる。
【００２２】
ホームシアターセット１が備えるオーディオシステムは、５．１チャンネル（５．１ｃｈ）のマルチチャンネル対応になっている。すなわち、ホームシアターセット１は、センタースピーカー１３と、フロント左スピーカー１４と、フロント右スピーカー１５と、リア左スピーカー１６と、リア右スピーカー１７と、サブウーファー１８と、を備えた構成になっている。
【００２３】
センタースピーカー１３は、視聴者の前方に配置される。フロント左スピーカー１４は、視聴者の前方左側に設置される。フロント右スピーカー１５は、視聴者の前方右側に配置される。リア左スピーカー１６は、視聴者の後方左側に配置される。リア右スピーカー１７は、視聴者の後方右側に配置される。サブウーファー１８は、効果音としての低温成分を再現する。
【００２４】
図２は、本実施形態に係るホームシアターセット１が備えるセット本体１１を裏面から見た場合の概略平面図である。セット本体１１は、略直方体形状の筐体１１１を有する。なお、この筐体１１１内に、光ディスクの再生を行うために必要となるドライブ装置、映像に関する処理を行う映像処理部、音声に関する処理を行う音声処理部、セット本体１１で行われる全体の制御を行うコントローラとしての機能を有するメインＬＳＩ等が内蔵される（いずれも不図示）。また、筐体１１１の前面には、電源スイッチ、時刻や再生状態等を案内する表示部、光ディスクを筐体内に挿入するための挿入部等が設けられている（いずれも不図示）。
【００２５】
図２に示すように、セット本体１１を構成する筐体１１１の裏面１１１ａには、セット本体１１とスピーカーとをケーブル接続するための複数のジャック１１２〜１１７が設けられている。複数のジャック１１２〜１１７は、それぞれ、センタースピーカー用ジャック１１２、フロント左スピーカー用ジャック１１３、フロント右スピーカー用ジャック１１４、リア左スピーカー用ジャック１１５、リア右スピーカー用ジャック１１６、サブウーファー用ジャック１１７となっている。
【００２６】
また、筐体１１１の裏面１１１ａには、第１の無線モジュール１９（図１参照）が挿し込まれる無線モジュール用コネクタ部１１８（本発明の取付部の一例）が設けられている。図３は、本実施形態に係るホームシアターセット１が備える第１の無線モジュール１９の構成を示す概略斜視図である。
【００２７】
図３に示すように、第１の無線モジュール１９は、略直方体形状に設けられる本体部１９１から突出する端子部１９２を有する。この端子部１９２が無線モジュール用コネクタ部１１８に挿し込まれることにより、第１の無線モジュール１９はセット本体１１の筐体１１１に取り付けられる。この取り付けにより、セット本体１１と第１の無線モジュール１９との電気的な接続が確立される。図４は、セット本体１１を側面から見た概略平面図で、セット本体１１（筐体１１１）に第１の無線モジュール１９が取り付けられた状態を示す。
【００２８】
第１の無線モジュール１９は、セット本体１１から入力される音声情報を無線送信する機能を有する。第１の無線モジュール１９から無線送信された音声情報は、第２の無線モジュール２０によって受信される。第２の無線モジュール２０によって受信された音声情報は、第２の無線モジュール２０と電気的に接続されるワイヤレススピーカー（リア用スピーカー１６、１７）に出力される。
【００２９】
なお、第１の無線モジュール１９と第２の無線モジュール２０とはペアリング機能を備える。第１の無線モジュール１９と第２の無線モジュール２０とは、ペアリングによって両者間の通信路が確立されている場合に無線通信を行う。
【００３０】
ところで、ホームシアターセット１においては、セット本体１１に複数のジャック１１２〜１１７が設けられており、スピーカー１３〜１８の全てをセット本体１１にケーブル接続することが可能である。ただし、リア左スピーカー１６及びリア右スピーカー１７は、通常、セット本体１１からかなり離れた位置に配置される。このために、例えばケーブル接続の煩雑さを解消する目的で、リア用スピーカー１６、１７は、セット本体１１にケーブル接続しないワイヤレススピーカーとするのが好ましい場合がある。
【００３１】
そこで、ホームシアターセット１では、無線モジュール１９、２０を利用するワイヤレススピーカーをオプションとして準備し、ユーザが、ワイレススピーカーを使用するか否かを選択できるようにしている。図１は、このオプションが適用された場合の構成を示している。すなわち、リア左スピーカー１６及びリア右スピーカー１７はワイヤレススピーカーとなっており、その他のスピーカー１３〜１５、１８は、セット本体１１にケーブル接続される構成になっている。
【００３２】
その他、本実施形態のように、無線モジュール１９、２０を利用するワイヤレススピーカーがオプションとして準備されると、例えば５．１ｃｈからの７．１ｃｈへのグレードアップ等の変更も行い易く便利である。
【００３３】
ただし、本実施形態のように、第１の無線モジュール１９がセット本体１１に対して挿抜可能（着脱可能）である場合、次のような点が懸念される。第１の無線モジュール１９がコネクタ部１１８に挿抜される度に、ＧＵＩ（Graphical User Interface）等を使用してスピーカーに関わる再設定をしたり、セット本体１１の再起動を行ったりすることを、ユーザが要求されてしまう。また、ホームシアターセット１の生産工程では、ワイレススピーカーに関する評価を行う必要がある。このために、セット本体１１に対する無線モジュール１９の挿抜は必須の作業であり、上述した再設定等の手作業が必要であると、作業効率が低下しかねない。
【００３４】
本実施形態のホームシアターセット１に含まれるオーディオシステムは、上述の懸念事項を解消するための工夫が取り入れられている。以下、これについて説明する。
【００３５】
図５は、本実施形態のホームシアターセット１が備えるオーディオシステム（音響機器システム）２の構成を示す概略図である。図５は、第１の無線モジュール１９がセット本体１１に取り付けられた状態を示している。メインＬＳＩ２１、音声処理部２２、及び、リセット回路部２３は、セット本体１１内に設けられる。
【００３６】
メインＬＳＩ２１は、全体を制御するコントローラとしての機能を有する。信号源（例えば光ディスク）から取り出された音声信号（例えば図示しないデコーダで取得される信号）が入力される音声処理部２２は、例えばオーディオＤＳＰ（Digital Signal Processor）からなる。音声処理部２２は、入力された音声信号に対して所定の音声信号処理を行う。音声処理部２２は、各スピーカー１３〜１８に対応した音声信号を、各スピーカー１３〜１８に向けて出力する。
【００３７】
なお、センタースピーカー１３、フロント左スピーカー１４、フロント右スピーカー１５、及びサブウーファー１８への音声出力は、セット本体１１に接続されるケーブルを介して行われる。また、リア左スピーカー１６及びリア右スピーカー１７への音声出力は、無線モジュール１９、２０を介して行われる。
【００３８】
リセット回路部２３は、セット本体１１の取付部１１８に第１の無線モジュール１９が取り付けられたことを検出可能とする回路である。リセット回路部２３は、セット本体１１側に設けられるリセットポートの状態を監視する。例えば、リセット回路部２３は、第１の無線モジュール１９が取付部１１８に取り付けられていない場合には、出力「Ｈｉｇｈ」を検出する。一方、リセット回路部２３は、第１の無線モジュール１９が取付部１１８に取り付けられた場合には、出力「Ｌｏｗ」を検出する。
【００３９】
メインＬＳＩ２１は、リセット回路部２３からの信号に応じて第１の無線モジュール１９の有無を自動検出し、第１の無線モジュール１９を検出した場合には、リア用スピーカー１６、１７から音声出力するための設定を自動的に行う。この動作について、図６を参照しながら詳細に説明する。図６は、本実施形態のオーディオシステム２において実行される、第１の無線モジュール１９の自動検出処理、及び、それに続く自動設定処理の手順を示すフローチャートである。
【００４０】
ホームシアターセット１の電源投入が行われることにより、図６に示すフローが開始される。なお、ホームシアターセット１の電源投入には、セット本体１１の電源投入の他、ホームシアターセット１を使用する上で電源投入が必要となる要素の電源投入も含まれる。
【００４１】
メインＬＳＩ２１は、リセット信号がＨｉｇｈであるか否かを確認する（ステップＳ１）。リセット信号がＨｉｇｈである場合（ステップＳ１でＹｅｓ）、メインＬＳＩ２１は、その状態が所定期間（例えば６０ｍｓｅｃ等）継続したか否かを確認する（ステップＳ２）。このステップＳ２は、第１の無線モジュール１９の有無について、誤検出しないように設けられたステップである。リセット信号のＨｉｇｈ期間が所定期間継続しなかった場合には（ステップＳ２でＮｏ）、ステップＳ１に戻って、メインＬＳＩ２１は、リセット信号がＨｉｇｈであるか否かを再確認する。
【００４２】
リセット信号のＨｉｇｈ期間が所定期間継続した場合（ステップＳ２でＹｅｓ）、メインＬＳＩ２１は、第１の無線モジュール１９がセット本体１１（筐体１１１の取付部１１８）に取り付けられていないと判断する（ステップＳ３）。この場合、メインＬＳＩ２１は、セット本体１１を電源オフする指令が出ているか否かを確認して（ステップＳ４）、指令が出ていない場合にはステップＳ１の処理に戻り、指令が出ている場合には処理を終了する。
【００４３】
一方、リセット信号がＨｉｇｈでない（Ｌｏｗである）場合には（ステップＳ１でＮｏ）、メインＬＳＩ２１は、リセット信号がＬｏｗである状態が所定期間（例えば６０Ｓｅｃ等）継続したか否かを確認する（ステップＳ５）。このステップＳ５は、第１の無線モジュール１９の有無について、誤検出しないように設けられたステップである。リセット信号のＬｏｗ期間が所定期間継続しなかった場合には（ステップＳ５でＮｏ）、ステップＳ１に戻って、メインＬＳＩ２１は、リセット信号がＨｉｇｈであるか否かを再確認する。
【００４４】
リセット信号のＬｏｗ期間が所定期間継続した場合（ステップＳ５でＹｅｓ）、メインＬＳＩ２１は、第１の無線モジュール１９がセット本体１１（筐体１１１の取付部１１８）に取り付けられていると判断する（ステップＳ６）。
【００４５】
メインＬＳＩ２１は、第１の無線モジュール１９を自動検出すると、ワイヤレススピーカー（リア用スピーカー１６、１７）による音声出力に関わる設定を自動的に行う（ステップＳ７）。音声出力に関わる設定には、例えば音量設定、音質設定、チャンネル数の設定等が含まれてよい。これらの設定は、例えば不図示のメモリ（セット本体１１内に内蔵される）に記憶されている設定に従って実行されればよい。メモリに記憶されている設定としては、デフォルトの設定値でもよいし、ユーザが登録した設定値でもよい。
【００４６】
なお、本実施形態では、ワイヤレススピーカーとしてリア左スピーカー１６及びリア右スピーカー１７を想定しているので、チャンネル数は２ｃｈに設定される。ただし、オーディオシステム２が例えば７．１ｃｈで使用される構成としてもよく、この場合にはチャンネル数が４ｃｈに設定される構成であってもよい。
【００４７】
また、ワイレススピーカーに関わる音声出力設定が行われる際に、メインＬＳＩ２１は、ケーブル（有線）接続されるスピーカー１３〜１５、１８に関わる音声出力設定（設定条件）の変更を行ってもよい。例えば、リア左スピーカー用ジャック１１５及びリア右スピーカー用ジャック１１６（図２参照）を利用してケーブル接続されるスピーカーが既に存在する場合には、ケーブル接続されるスピーカーの使用を停止する処理が行われてもよい。また、前述の停止処理に代えて、ケーブル接続されるリア用スピーカーの音質設定が、ワイヤレススピーカー（リア用スピーカー１６、１７）と異なる音質モードになるように設定変更が行われるようにしてもよい。
【００４８】
メインＬＳＩ２１は、音声出力設定に続いて、或いは、並行して、第１の無線モジュール１９と第２の無線モジュール２０との間の接続設定処理（ペアリング処理）を行う（ステップＳ８）。この接続設定（ペアリング）は、本発明の通信に関わる設定の一例である。
【００４９】
具体的には、メインＬＳＩ２１は第１の無線モジュール１９とのハンドシェークを行う。ハンドシェークが完了すると、メインＬＳＩ２１は第１の無線モジュール１９から送信されるＩＲＱ（Interrupt Request）信号を監視して、第１の無線モジュール１９が通信可能を通知するのを待つ。通信可能になったら、第１の無線モジュール１９のＩＤを取得する。また、これに続いて、メインＬＳＩ２１は、第２の無線モジュール２０のＩＤを第１の無線モジュール１９を介して取得する。
【００５０】
メインＬＳＩ２１は、第１の無線モジュール１９と第２の無線モジュール２０とのＩＤが一致したら、音声処理部２２からの第１の無線モジュール１９への音声データの入力、及び、当該音声データの第２の無線モジュール２０への出力を許可する。これにより、ワイヤレススピーカー（リア用スピーカー１６、１７）から音声出力が可能になる。
【００５１】
なお、場合によってはペアリング処理に失敗する場合も有り得る。このような場合を想定して、ペアリング処理に失敗した場合には、そのことをモニター１２に出力する（ユーザに通知する）ようにしてもよい。また、ユーザがモニター１２を見ながら、ペアリング処理を再履行させるようにしてもよい。また、第１の無線モジュール１９と第２の無線モジュール２０とのＩＤが異なっているためにペアリング処理ができないような場合には、メインＬＳＩ２１が第１の無線モジュール１９のＩＤを第２の無線モジュール２０のＩＤと一致するように自動的に書き換えて自動的にペアリングが確立されるようにしてもよい。
【００５２】
ペアリング処理が完了すると、メインＬＳＩ２１は、セット本体１１を電源オフする指令が出ているか否かを確認して（ステップＳ９）、指令が出ている場合（ステップＳ９でＹｅｓ）には処理を終了する。一方、電源オフ指令が出ていない場合には（ステップＳ９でＮｏ）には、メインＬＳＩ２１はリセット信号がＨｉｇｈに変更されていないか否かを確認する（ステップＳ１０）。
【００５３】
リセット信号がＨｉｇｈでない場合には（ステップＳ１０でＮｏ）、ステップＳ９に戻る。一方、リセット信号がＨｉｇｈである場合には（ステップＳ１０でＹｅｓ）、その状態が所定期間（例えば６０ｍｓｅｃ）維持されたか否かを確認する（ステップＳ１１）。所定期間維持されなかった場合には（ステップＳ１１でＮｏ）、ステップＳ９に戻る。所定期間維持された場合には（ステップＳ１１でＹｅｓ）、メインＬＳＩ２１は第１の無線モジュール１９がセット本体１１に取り付けられていないと判断する（ステップＳ１２）。
【００５４】
この場合、メインＬＳＩ２１は、スピーカーからの音声出力に関わる設定を適宜変更するようにしてもよい。この設定変更は、例えば、第１の無線モジュール１９が自動検出される前の設定に戻すものであってよい。この設定変更が行われるとステップＳ１に戻る。
【００５５】
以上のように、本実施形態のオーディオシステム２では、セット本体（本発明の電子機器の一例）１１に第１の無線モジュール１９が挿入されると、この無線モジュールを自動検出する。そして、第１の無線モジュール１９を自動検出すると、ワイヤレススピーカー１６、１７（本発明の動作部の一例）が音声出力可能となる設定を自動的に行う。
【００５６】
このために、ユーザは、無線モジュール１９、２０を用いたワイヤレススピーカー１６、１７の導入にあたって、煩わし設定作業を回避できる。また、生産工程でワイヤレススピーカーの評価を行う場合において、第１の無線モジュール１９の挿抜に伴う、手動の設定作業を省略できる。すなわち、本実施形態によれば、ユーザの利便性の向上と、生産工程における作業効率の向上が期待できる。
【００５７】
以上に示した実施形態は本発明の例示であり、本発明の適用範囲は、以上に示した実施形態の構成に限定されるものではない。
【００５８】
例えば、以上においては、セット本体１１に挿抜される第１の無線モジュール１９がセット本体１１から音声情報を出力する送信機（トランスミッター）として使用される構成を示した。しかし、本発明の適用範囲は、この構成に限定されず、第１の無線モジュール１９は、音声情報を出力する送信機としての機能に加えて、例えば音声情報及び／又は映像情報を受信する受信機（レシーバ）としての機能を備えてもよい。
【００５９】
例えば図７に示すように、録画機器３０（ＢＤレコーダ等）で録画した映像及び音声情報が、録画機器３０が備える第３の無線モジュール３１から出力されて、第１の無線モジュール１９で受信される構成（図７参照）が採用されてもよい。セット本体１１が録画機能を有さない場合、図７のように構成することで、録画機器３０で録画した情報をホームシアターセット１で楽しめる。録画機器３０は、セット本体１１とは別の部屋に配置されてよい。
【００６０】
また、以上に示した実施形態では、ワイヤレススピーカー２台（リア左スピーカー１６及びリア右スピーカー１７）に対して音声情報受信用の無線モジュール（第２の無線モジュール２０）が１台使用される構成とした。これに代えて、スピーカー１６、１７毎に、音声情報受信用の無線モジュールが備えられる構成としてもよい。この構成の場合、ワイヤレススピーカーに無線モジュールが内蔵されてもよい。
【００６１】
以上に示した実施形態では、セット本体１１の筐体１１１の裏面に第１の無線モジュール１９が取り付けられる構成としたが、これに限定されず、第１の無線モジュール１９は筐体１１１の前面等、他の位置に取り付けられても構わない。
【００６２】
以上に示した実施形態では、ワイヤレススピーカーがリア用スピーカーとして使用される構成を示した。しかし、本発明はこの構成に限定されず、例えばワイヤレススピーカーがフロント用スピーカーとして使用される構成でも、本発明は適用可能である。
【００６３】
以上に示した実施形態では、第２の無線モジュールが受信した情報（第１の無線モジュールとの無線通信によって獲得される）に従って動作する動作部がスピーカーである場合を例示した。しかし、本発明の適用範囲は、この構成に限られず、例えば動作部はモニター等であっても構わない。この場合、第１の無線モジュールから第２の無線モジュールへと映像情報が送信されることになる。
【００６４】
以上からわかるように、本発明の電子機器は、映像音声再生装置（実施形態に係るセット本体１１が該当）に限らず、音声再生装置、映像再生装置等の他の電子機器であってもよい。
【産業上の利用可能性】
【００６５】
本発明は、例えばオーディオシステムやホームシアターシステム等に好適である。
【符号の説明】
【００６６】
２  オーディオシステム（電子機器システム）
１１  セット本体（本体部）
１３  センタースピーカー（別の音声出力部）
１４  フロント左スピーカー（別の音声出力部）
１５  フロント右スピーカー（別の音声出力部）
１６  リア左スピーカー（動作部、音声出力部）
１７  リア右スピーカー（動作部、音声出力部）
１８  サブウーファー（別の音声出力部）
１９  第１の無線モジュール（第１の無線部）
２０  第２の無線モジュール（第２の無線部）
２１  メインＬＳＩ（制御部）
１１１  筐体
１１８  取付部
【図１】
2013138297.tif 000003
【図２】
2013138297.tif 000004
【図３】
2013138297.tif 000005
【図４】
2013138297.tif 000006
【図５】
2013138297.tif 000007
【図６】
2013138297.tif 000008
【図７】
2013138297.tif 000009